(57)【特許請求の範囲】
【請求項１】
放送される番組を受信する受信手段と、該受信手段が受信する番組に係る番組情報を取得する手段と、番組の放送時間延長の可能性の有無を判定するためのキーワードを複数記憶するキーワード記憶手段と、前記受信手段が受信した番組を記録する記録手段と、該記録手段による記録時刻を含む番組の記録予約を受け付ける手段とを備える記録装置において、
記録予約に係る番組が、前記キーワード記憶手段が記憶したキーワードを含み、番組の放送時間が所定の基準時間より長い番組であるか否かに応じて、前記記録予約に係る番組の放送時間が変更される可能性があるか否かを判定する判定手段を備えること
を特徴とする記録装置。
【請求項２】
放送される番組を受信する受信手段と、該受信手段が受信する番組に係る番組情報を取得する手段と、番組の放送時間延長の可能性の有無を判定するためのキーワードを複数記憶するキーワード記憶手段と、前記受信手段が受信した番組を記録する記録手段と、該記録手段による記録時刻を含む番組の記録予約を受け付ける手段とを備える記録装置において、
記録予約に係る番組の前の時間帯に放送され、且つ、記録予約に係る番組と同じチャンネルで放送される番組が、前記キーワード記憶手段が記憶したキーワードを含み、番組の放送時間が所定の基準時間より長い番組であるか否かに応じて、前記記録予約に係る番組の放送時間が変更される可能性があるか否かを判定する判定手段を備えること
を特徴とする記録装置。
【請求項３】
前記判定手段が判定を行うための基準時間を受け付ける基準時間受付手段を備える請求項１又は請求項２に記載の記録装置。
【請求項４】
前記キーワード記憶手段が記憶するキーワードを受け付けるキーワード受付手段を備える請求項１乃至請求項３のいずれか１つに記載の記録装置。
【請求項５】
前記判定手段が放送時間が変更される可能性があると判定した番組に係る記録予約の記録時刻を変更する変更手段を備える請求項１乃至請求項４のいずれか１つに記載の記録装置。
【請求項６】
記録予約の記録時刻を延長する時間を受け付ける延長時間受付手段を備え、
前記変更手段は、記録予約に係る終了時刻を、前記延長時間受付手段が受け付けた時間延長するようにしてある請求項５に記載の記録装置。
【発明の詳細な説明】
【技術分野】
【０００１】
本発明は、放送信号を受信して放送信号に含まれる番組を記録媒体に記録する記録装置に関する。更には、予め記録の開始時刻及び終了時刻等を設定することで番組の記録を行う予約記録の機能を備えた記録装置に関する。
【背景技術】
【０００２】
従来から、テレビ番組の記録を行うビデオデッキ及びハードディスクレコーダ等の記録装置は、ユーザが予め記録の開始時刻及び終了時刻を設定しておくことにより、ユーザの留守中にテレビ番組の記録を行うことが可能な予約記録の機能を備えている。また、近年においては、番組と共に送信される電子番組ガイド情報（以下、ＥＰＧ（Ｅｌｅｃｔｒｏｎｉｃ  Ｐｒｏｇｒａｍ  Ｇｕｉｄｅ）という）を用いて番組表を表示し、番組表から記録を行いたい番組を選択することで記録の予約を行うことができる記録装置が実用化されている。
【０００３】
また、特許文献１においては、ユーザが入力したキーワードを含む番組をＥＰＧから検索し、検索された番組を自動的に記録することができる番組検索装置が提案されている。これにより、例えばユーザがキーワードとして「サッカー」を入力した場合には、サッカー中継が全て自動的に記録されるため、ユーザが番組毎に予約を行う必要がなく、所望の番組を見逃す虞が少なくなるという利点がある。
【０００４】
しかし、野球又はサッカー等のスポーツ番組は、予定時間内に試合が終了せず、番組の放送時間が延長される可能性がある。放送時間が延長された場合であっても、予約記録は設定された終了時刻に記録を終了するため、スポーツ番組を最後まで記録できないという問題がある。また、番組自体が延長されることはないドラマ及び映画等の番組であっても、スポーツ番組の後に放送される場合には、番組の開始時刻及び終了時刻が遅れるため、番組を最後まで記録できないという問題がある。
【０００５】
デジタル放送では、番組の延長が発生した場合、ＥＰＧが自動的に更新されるため、更新されたＥＰＧを受信した記録装置が、記録予約の開始時刻及び終了時刻を変更して番組の記録を行うことができる。しかし、アナログ放送の場合には、番組の延長が発生した場合であっても、ＥＰＧは更新されない。よって、アナログ放送の番組を記録する記録装置は、番組の延長を判断することができないため、自動的に記録予約を変更できず、ユーザが、延長の可能性を考慮して、記録予約の終了時刻を遅らせて設定することで対処していた。
【０００６】
特許文献２においては、放送時間の延長の可能性の有無を表すキーワード、例えば「最大延長」を含む番組をＥＰＧから検索し、このキーワードに付随する最大延長時刻を表す時間情報を読み取り、読み取った時間情報に応じて記録予約の終了時刻を変更する録画再生装置が提案されている。これにより、放送時間が延長される可能性がある番組、又は放送の開始時刻及び終了時刻が遅れる可能性がある番組を最後まで記録できる。
【特許文献１】特開２００２−２５２８１３号公報
【特許文献２】特開２００４−２８９５６５号公報
【発明の開示】
【発明が解決しようとする課題】
【０００７】
特許文献２に記載の記録再生装置は、番組が延長して放送されるか否かを、予め決められたキーワードがＥＰＧに含まれているか否かのみで判断している。しかしながら、例えばキーワードが”野球”又は”サッカー”等であり、野球ニュース又はサッカーニュース等の番組がＥＰＧに含まれていた場合、これらのニュース番組を延長の可能性があると判断する虞がある。よって、キーワードがＥＰＧに含まれているか否かのみで、必ずしも延長される番組であるか否かを判断できるものではない。
【０００８】
本発明は、斯かる事情に鑑みてなされたものであって、その目的とするところは、記録予約に係る番組が、放送時間が所定の基準時間より長く、所定のキーワードを含む場合に、記録予約に係る番組を放送時間が変更される可能性がある番組と判定する構成とすることにより、野球又はサッカー等の延長して放送される可能性がある番組をより確実に記録できる記録装置を提供することにある。
【０００９】
また本発明の他の目的とするところは、記録予約に係る番組と同じチャンネルで前の時間帯に放送される番組が、放送時間が所定の基準時間より長く、所定のキーワードを含む場合に、記録予約に係る番組を放送時間が変更される可能性がある番組と判定する構成とすることにより、野球又はサッカー等の延長して放送される可能性がある番組の後に放送される番組をより確実に記録できる記録装置を提供することにある。
【００１０】
また本発明の他の目的とするところは、放送時間が延長される可能性がある番組を判定する場合に用いる基準時間を、ユーザが設定できる構成とすることにより、番組の放送状況又はＥＰＧの内容等に応じて、より判定の確度が高い基準時間を設定し、放送時間が延長される可能性がある番組をより確実に判定できる記録装置を提供することにある。
【００１１】
また本発明の他の目的とするところは、放送時間が延長される可能性がある番組を判定する場合に用いるキーワードを、ユーザが追加又は変更できる構成とすることにより、番組の放送状況又はＥＰＧの内容等に応じて、より判定の確度が高いキーワードを追加又は変更し、放送時間が延長される可能性がある番組をより確実に判定できる記録装置を提供することにある。
【００１２】
また本発明の他の目的とするところは、記録予約に係る番組の放送時間が変更される可能性がある場合に、記録予約の記録時刻を変更する構成とすることにより、所望の番組を最後まで確実に記録できる記録装置を提供することにある。
【００１３】
また本発明の他の目的とするところは、ユーザから延長時間を受け付けて、受け付けた延長時間に応じて記録予約の終了時刻を遅らせる構成とすることにより、番組の放送状況又はＥＰＧの内容等に適した記録時間の延長を行うことができる記録装置を提供することにある。
【課題を解決するための手段】
【００１４】
本発明に係る記録装置は、放送される番組を受信する受信手段と、該受信手段が受信する番組に係る番組情報を取得する手段と、番組の放送時間延長の可能性の有無を判定するためのキーワードを複数記憶するキーワード記憶手段と、前記受信手段が受信した番組を記録する記録手段と、該記録手段による記録時刻を含む番組の記録予約を受け付ける手段とを備える記録装置において、記録予約に係る番組が、前記キーワード記憶手段が記憶したキーワードを含み、番組の放送時間が所定の基準時間より長い番組であるか否かに応じて、前記記録予約に係る番組の放送時間が変更される可能性があるか否かを判定する判定手段を備えることを特徴とする。
【００１５】
本発明においては、記録予約に係る番組が、所定のキーワードを含み、且つ、放送時間が所定の基準時間より長い場合、放送時間が変更される可能性がある番組と判定する。野球又はサッカー等の放送時間が延長される可能性がある番組は、放送時間が２時間程度である場合が多い。これに対して、野球又はサッカー等のキーワードが含まれている可能性があるスポーツニュースなどの番組は、放送時間が延長されることはなく、放送時間は１時間程度である場合が多い。このため、判定を行う場合に基準時間と放送時間との比較を行うことで、判定の確度が上がる。これにより、野球又はサッカー等の番組を予約して記録する場合に、野球又はサッカー等の番組を放送時間が延長される可能性のある番組と判定できるため、記録予約の記録時刻を変更することができる。
【００１６】
また、本発明に係る記録装置は、放送される番組を受信する受信手段と、該受信手段が受信する番組に係る番組情報を取得する手段と、番組の放送時間延長の可能性の有無を判定するためのキーワードを複数記憶するキーワード記憶手段と、前記受信手段が受信した番組を記録する記録手段と、該記録手段による記録時刻を含む番組の記録予約を受け付ける手段とを備える記録装置において、記録予約に係る番組の前の時間帯に放送され、且つ、記録予約に係る番組と同じチャンネルで放送される番組が、前記キーワード記憶手段が記憶したキーワードを含み、番組の放送時間が所定の基準時間より長い番組であるか否かに応じて、前記記録予約に係る番組の放送時間が変更される可能性があるか否かを判定する判定手段を備えることを特徴とする。
【００１７】
本発明においては、記録予約に係る番組と同じチャンネルで前の時間帯に放送される番組が、所定のキーワードを含み、且つ、放送時間が所定の基準時間より長い場合、記録予約に係る番組を放送時間が延長される可能性がある番組と判定する。野球又はサッカー等の放送時間が延長される可能性がある番組は、放送時間が２時間程度である場合が多い。これに対して、野球又はサッカー等のキーワードが含まれている可能性があるスポーツニュースなどの番組は、放送時間が延長されることはなく、放送時間は１時間程度である場合が多い。このため、判定を行う場合に基準時間と放送時間との比較を行うことで、判定の確度が上がる。これにより、野球又はサッカーの後に放送されるドラマ又は映画等の番組を放送時間が変更される可能性がある番組と判定できるため、記録予約の記録時刻を変更することができる。
【００１８】
また、本発明に係る記録装置は、前記判定手段が判定を行うための基準時間を受け付ける基準時間受付手段を備えることを特徴とする。
【００１９】
本発明においては、ユーザからの基準時間の入力を受け付け、受け付けた基準時間を用いて番組の放送時間との比較を行う。ユーザが基準時間の変更を行うことができ、番組の放送状況又はＥＰＧの内容等に応じて、より確度の高い基準時間を設定することができる。
【００２０】
また、本発明に係る記録装置は、前記キーワード記憶手段が記憶するキーワードを受け付けるキーワード受付手段を備えることを特徴とする。
【００２１】
本発明においては、ユーザからのキーワードの入力を受け付け、受け付けたキーワードを用いて記録予約に係る番組の放送時間が延長されるか否かを判定する。ユーザは、キーワードを追加又は変更することができ、番組の放送状況又はＥＰＧの内容等に応じて、より判定の確度が高いキーワードを設定することができる。
【００２２】
また、本発明に係る記録装置は、前記判定手段が放送時間が変更される可能性があると判定した番組に係る記録予約の記録時刻を変更する変更手段を備えることを特徴とする。
【００２３】
本発明においては、キーワード及び基準時間を用いた判定により、記録予約に係る番組が放送時間が変更される可能性があると判定された場合に、記録予約の記録時刻を変更することにより、番組の放送時間の変更に対応して番組を記録できる。
【００２４】
また、本発明に係る記録装置は、記録予約の記録時刻を延長する時間を受け付ける延長時間受付手段を備え、前記変更手段は、記録予約に係る終了時刻を、前記延長時間受付手段が受け付けた時間延長するようにしてあることを特徴とする。
【００２５】
本発明においては、記録予約を延長する時間をユーザから受け付け、受け付けた延長時間に応じて記録予約の終了時刻を遅らせる。ユーザが延長時間を入力できるため、番組の放送状況又はＥＰＧの内容等に応じて、最適な延長時間を決定し、記録予約の終了時刻を遅らせることができる。
【発明の効果】
【００２６】
本発明による場合は、記録予約に係る番組が、放送時間が所定の基準時間より長く、所定のキーワードを含む場合に、記録予約に係る番組を放送時間が変更される可能性がある番組と判定する構成とすることにより、放送時間が延長される可能性がある番組をより確実に判定することができ、実際に延長されることがない番組を誤判定する虞を少なくできるため、野球又はサッカー等の番組を放送時間が延長される可能性のある番組と判定でき、ユーザが記録予約の記録時刻を変更することができ、所望の番組を見逃す虞を少なくできる。
【００２７】
また、本発明による場合は、記録予約に係る番組と同じチャンネルで前の時間帯に放送される番組が、所定のキーワードを含む場合に、記録予約に係る番組を放送時間が変更される可能性がある番組と判定する構成とすることにより、放送時間が延長される可能性がある番組をより確実に判定することができ、実際に延長されることがない番組を誤判定する虞を少なくできるため、野球又はサッカー等の延長して放送される可能性がある番組の後に放送されるドラマ又は映画等の番組を、放送時間が変更される可能性がある番組と判定でき、ユーザが記録予約の記録時刻を変更することができ、所望の番組を見逃す虞を少なくできる。
【００２８】
また、本発明による場合は、ユーザからの基準時間の入力を受け付け、受け付けた基準時間を用いて番組の放送時間との比較を行う構成とすることにより、番組の放送状況又はＥＰＧの内容等に応じて、より確度の高い基準時間を設定することができるため、放送時間が延長される可能性がある番組をより確実に判定することができ、実際に延長されることがない番組を誤判定する虞を少なくできる。
【００２９】
また、本発明による場合は、ユーザからのキーワードの入力を受け付けて、放送時間が変更される可能性がある番組の判定に用いるキーワードを追加又は変更する構成とすることにより、番組の放送状況又はＥＰＧの内容等に応じて、より判定の確度が高いキーワードを設定することができるため、放送時間が変更される可能性がある番組をより確実に判定することができ、ユーザが所望の番組を見逃す虞を少なくできる。
【００３０】
また、本発明による場合は、記録予約に係る番組の放送時間が変更される可能性がある場合に、記録予約の記録時刻を変更する構成とすることにより、所望の番組を最後まで確実に記録できるため、ユーザが所望の番組を見逃す虞を少なくできる。
【００３１】
また、本発明による場合は、ユーザから延長時間を受け付けて、受け付けた延長時間に応じて記録予約の終了時刻を遅らせる構成とすることにより、番組の放送状況又はＥＰＧの内容等に応じて、ユーザが最適な延長時間を決定し、記録予約の終了時刻を遅らせることができるため、記録装置の使い勝手を向上することができる。
【発明を実施するための最良の形態】
【００３２】
以下、本発明をその実施の形態を示す図面に基づき具体的に説明する。図１は、本発明に係るハードディスクレコーダのハードウェア構成を示すブロック図である。図において１はハードディスクレコーダであり、ハードディスクレコーダ１には図示しないケーブルを介してＣＲＴディスプレイ又は液晶ディスプレイ等の外部の表示装置５１が接続される。ハードディスクレコーダ１は、内部のハードディスク１９に記録された番組又はチューナ１１により受信された番組を、映像及び音声の出力端子を有する出力部１５から表示装置５１へ出力し、表示装置５１に番組を表示する。また、ハードディスクレコーダ１は、ユーザが遠隔操作を行うためのリモコン（リモートコントローラ）５２を備えている。
【００３３】
ハードディスクレコーダ１が備えるチューナ１１は、地上波アナログ放送を受信するチューナである。チューナ１１が受信したアナログの番組信号は、Ａ／Ｄ変換部１３へ与えられ、Ａ／Ｄ変換部１３にてデジタルの番組データに変換される。更に、Ａ／Ｄ変換部１３にて変換された番組データはエンコーダ１４へ与えられる。エンコーダ１４は、与えられた番組データをＭＰＥＧ２方式のデータに圧縮するものであり、圧縮された番組データは制御部１０へ与えられる。
【００３４】
制御部１０は、ハードディスクレコーダ１の各部の動作を制御しており、番組の記録を行う場合には、エンコーダ１４から与えられた番組データをハードディスクコントローラ２０へ与えて、ハードディスク１９への記録を行う。また、ハードディスク１９に記録された番組の再生を行う場合には、制御部１０は、ハードディスクコントローラ２０を介してハードディスク１９から圧縮された番組データを読み出す。
【００３５】
ハードディスク１９から読み出された番組データはデコーダ１８へ与えられ、デコーダ１８にて伸張されてＤ／Ａ変換部１７へ与えられる。Ｄ／Ａ変換部１７は、与えられたデジタルの番組データをアナログの番組信号に変換し、選択部１６へ与える。選択部１６には、Ｄ／Ａ変換部１７が変換した番組信号及びチューナ１１が受信した番組信号が与えられ、更に、制御部１０からメニュー及び記録予約確認画面等の表示命令が与えられる。
【００３６】
ハードディスク１９に記録された番組を表示装置５１に表示する場合、選択部１６は、Ｄ／Ａ変換部１７からの番組信号を出力部１５へ与える。放送されている番組をリアルタイムで表示装置５１に表示する場合は、選択部１６は、チューナ１１からの番組信号を出力部１５へ与える。また、選択部１６は、制御部１０からメニュー又は記録予約確認画面等の表示命令が与えられた場合は、番組信号を出力部１５へ与えず、予め用意されたメニュー又は記録予約確認画面等の画像信号を出力部１５へ与える。出力部１５には、映像出力及び音声出力用の出力端子が備えられており、選択部１６から与えられた番組信号は出力端子に接続された表示装置５１へ与えられ、表示装置５１に表示される。
【００３７】
チューナ１１が受信する番組信号には、放送される番組の番組名、放送時刻、ジャンル、出演者及び内容説明等の情報を有するＥＰＧが重畳されており、ＥＰＧ取得部１２によりチューナ１１が受信した番組信号からＥＰＧが分離されて、制御部１０へ与えられる。制御部１０は、与えられたＥＰＧをメモリ２１に記憶する。また、制御部１０は、番組表を表示装置５１に表示する場合には、メモリ２１からＥＰＧを読み出して番組表を作成し、選択部１６へ番組表の表示命令と共に与える。番組表及び表示命令を与えられた選択部１６は、番組表を出力部１５へ与えて、表示装置５１に番組表を表示する。
【００３８】
メモリ２１には、前述のＥＰＧを記憶するＥＰＧ記憶部２１ａと、記録チャンネル、記録開始時刻、記録終了時刻及び記録画質等の情報を含む記録予約を記憶する記録予約記憶部２１ｂと、放送時間が延長される可能性がある番組を検索するためのキーワード及び基準時間を記憶する延長条件記憶部２１ｃとが設けられている。メモリ２１は、フラッシュメモリ又はＥＥＰＲＯＭ等の不揮発性の書き換え可能なメモリ素子で構成される。
【００３９】
また、ハードディスクレコーダ１には、操作部２２及び赤外線受光部２３が備えられている。操作部２２には、録画、再生、選局及び設定メニュー表示等の複数のボタンが設けられており、ユーザからの操作を受け付けて、制御部１０へユーザからの操作要求を与えるようにしてある。リモコン５２には、操作部２２と同様に、操作を受け付けるための複数のボタンが設けられており、ユーザからの操作要求を赤外線信号に変換して図示しない赤外線発光部から送信する。赤外線受光部２３は、リモコン５２から送信される赤外線信号を電気信号の操作要求に変換して制御部１０へ与えるものである。
【００４０】
ハードディスクレコーダ１では、ユーザからの操作要求に応じて、番組の記録及び再生等を行うことができ、また、記録時刻及びチャンネル等の記録予約を設定して番組の記録を行うことができる。記録予約の設定を行う場合には、取得したＥＰＧから番組表を表示し、番組表からユーザが番組を選択することで行うことができ、番組の記録時刻及びチャンネル等を入力せずに記録予約の設定を行うことができる。
【００４１】
また、ハードディスクレコーダ１は、野球又はサッカー等のような放送時間が延長される可能性がある番組を、取得したＥＰＧから検索する機能を有している。これにより、ユーザが設定した記録予約に関する番組が、野球若しくはサッカー等である場合、又は野球若しくはサッカー等の後に放送されるドラマ又は映画等である場合、放送時間が変更される可能性があると判定することができ、ユーザに対して記録予約の終了時刻の変更を促すことができる。
【００４２】
ハードディスクレコーダ１は、ＥＰＧから放送時間が延長される可能性がある番組を検索する場合に、予め設定されたキーワードを番組情報に含む番組をＥＰＧから検索し、検索された番組の中で放送時間が予め設定された基準時間より長い番組を、延長される可能性がある番組と判定している。キーワード及び基準時間はメモリ２１の延長条件記憶部２１ｃに記憶されており、ユーザが操作部２２又はリモコン５２を操作することにより、追加又は変更することができるようにしてある。
【００４３】
図２は、本発明に係るハードディスクレコーダ１のキーワード設定を行う場合に制御部１０が行う処理を示すフローチャートである。キーワードの設定は、操作部２２又はリモコン５２に設けられた図示しない「設定メニュー」ボタンを押下し、表示装置５１に表示されたメニューからキーワード設定の項目を選択することで行うことができる。制御部１０は、キーワード設定の項目が選択されたか否かを調べ（ステップＳ１）、選択されていない場合は（Ｓ１：ＮＯ）、選択されるまで待機する。
【００４４】
キーワード設定の項目が選択された場合（Ｓ１：ＹＥＳ）、メモリ２１の延長条件記憶部２１ｃから既に登録されているキーワードを読み出す（ステップＳ２）。次いで、読み出したキーワード及びキーワード設定画面の表示命令を選択部１６へ与え、キーワード設定画面を出力部１５を介して表示装置５１に表示する（ステップＳ３）。
【００４５】
図３及び図４は、本発明に係るハードディスクレコーダ１が表示するキーワード設定画面の表示例である。本実施の形態のハードディスクレコーダ１は、５つのキーワードを延長条件記憶部２１ｃに記憶し、放送時間が変更される可能性がある番組をＥＰＧから検索することができる。
【００４６】
図３に示すキーワード設定画面では、画面の最上部に画面のタイトル及び日時が表示され、この下に、キーワード設定画面に関する情報が２〜３行の文字列で簡単に説明されている。説明の文字列の下には、６つの長方形状のボックスが上下に並べて配されており、ボックスの周囲を囲む長方形状のカーソル３１を操作部２２又はリモコン５２に設けられたカーソルキーによって上下動させ、「決定」ボタンを押下することで、６つのボックスのうちの１つを選択できるようにしてある。上から５つのボックスは、キーワード１〜５に対応するものであり、最も下のボックスは設定終了に対応するものである。キーワード１〜５に対応するボックスには、既に設定されているキーワードが表示されており、図３ではキーワード１に”延長”が設定され、キーワード２に”野球”が設定され、キーワード３に”繰り下げ”が設定されている。キーワード４及び５には、キーワードは設定されていない。また、「戻る」ボタンを押下することで前の画面、即ちキーワード設定の項目を有する設定メニューが表示された画面（図示は省略する）に戻ることができる。更に、「終了」ボタンを押下する、又は設定終了のボックスを選択することにより、キーワード設定を終了して番組の表示画面に戻ることができる。
【００４７】
キーワード１〜５のボックスが選択された場合、図４に示すように、キーワード選択画面に入力ウインドウ３２が表示され、キーワードの文字入力を行うことができる。入力ウインドウ３２では、ひらがな、カタカナ、英数及び記号の入力を行うことができ、操作部２２又はリモコン５２に設けられた「青」ボタン及び「緑」ボタンを用いることで、漢字変換を行うことができる。「黄」ボタンが押下された場合は、キーワードの文字入力を終了し、入力ウインドウ３２を非表示にして、キーワード設定画面に戻る。
【００４８】
図２に示すフローチャートのステップＳ３にてキーワード設定画面の表示を行った後、制御部１０は、キーワード設定画面の設定終了のボックスが選択されるか又は「終了」ボタンが押下されるかによって、キーワードの設定が終了したか否かを調べる（ステップＳ４）。設定が終了していない場合（Ｓ４：ＮＯ）、ステップＳ３へ戻って設定が終了するまでキーワード設定画面を表示する。キーワードの設定が終了した場合（Ｓ４：ＹＥＳ）、設定された５つのキーワード及び各キーワードの重みを関連付けて、メモリ２１の延長条件記憶部２１ｃに記憶し（ステップＳ５）、処理を終了する。
【００４９】
図５は、本発明に係るハードディスクレコーダ１の基準時間設定を行う場合に制御部１０が行う処理を示すフローチャートである。基準時間の設定は、操作部２２又はリモコン５２に設けられた「設定メニュー」ボタンを押下し、表示装置５１に表示されたメニューから基準時間設定の項目を選択することで行うことができる。制御部１０は、基準時間設定の項目が選択されたか否かを調べ（ステップＳ１１）、選択されていない場合は（Ｓ１１：ＮＯ）、選択されるまで待機する。
【００５０】
キーワード設定の項目が選択された場合（Ｓ１１：ＹＥＳ）、メモリ２１の延長条件記憶部２１ｃから既に登録されている基準時間を読み出す（ステップＳ１２）。次いで、読み出した基準時間及び基準時間設定画面の表示命令を選択部１６へ与え、基準時間設定画面を出力部１５を介して表示装置５１に表示する（ステップＳ１３）。
【００５１】
図６は、本発明に係るハードディスクレコーダ１が表示する基準時間設定画面の表示例である。基準時間設定画面では、画面の最上部に画面のタイトル及び日時が表示され、この下に、基準時間設定画面に関する情報が２〜３行の文字列で簡単に説明されている。説明の文字列の下には、設定されている基準時間が表示される。ユーザは、操作部２２又はリモコン５２に設けられたカーソルキーの上下を操作することにより、１分単位で基準時間の増減を行うことができる。更に、「決定」ボタンを押下することで、基準時間を確定し、基準時間の設定を終了する。また、「戻る」ボタンを押下することで前の画面、即ち基準時間設定の項目を有する設定メニューが表示された画面に戻ることができる。更に、「終了」ボタンを押下することにより、基準時間設定を終了して番組の表示画面に戻ることができる。
【００５２】
ステップＳ１３にて基準時間設定画面の表示を行った後、制御部１０は基準時間の設定が終了したか否かを調べる（ステップＳ１４）。設定が終了していない場合（Ｓ１４：ＮＯ）、ステップＳ１３へ戻って設定が終了するまで基準時間設定画面の表示を行う。基準時間の設定が終了した場合（Ｓ１４：ＹＥＳ）、設定された基準時間をメモリ２１の延長条件記憶部２１ｃに記憶し（ステップＳ１５）、処理を終了する。
【００５３】
図７及び図８は、本発明に係るハードディスクレコーダ１の記録予約の設定を行う場合に制御部１０が行う処理を示すフローチャートである。記録予約の設定は、操作部２２又はリモコン５２に設けられた「設定メニュー」ボタンを押下し、表示装置５１に表示されたメニューから予約設定の項目を選択することで行うことができる。制御部１０は、予約設定の項目が選択されたか否かを調べ（ステップＳ２１）、選択されていない場合は（Ｓ２１：ＮＯ）、選択されるまで待機する。
【００５４】
予約設定の項目が選択された場合（Ｓ２１：ＹＥＳ）、メモリ２１のＥＰＧ記憶部２１ａからＥＰＧの読み出しを行う（ステップＳ２２）。なお、ＥＰＧは、一日に数回から数十回程度、決められた時刻に受信することができる。ハードディスクレコーダ１は、決められた時刻に、ＥＰＧ取得部１２によりチューナ１１が受信した番組信号からＥＰＧを分離して取得し、取得したＥＰＧを予めＥＰＧ記憶部２１ａに記憶している。ステップＳ２２にてＥＰＧの読み出しを行った後、ＥＰＧから番組表を作成し、番組表の表示命令を選択部１６へ与えて、表示装置５１に番組表の表示を行う（ステップＳ２３）。
【００５５】
図９は、本発明に係るハードディスクレコーダ１が表示する番組表の表示例である。この表示例では、午後９時から１０時の間に放送される番組の一覧を表示したものである。番組表では、複数の長方形状のボックスが上下に並べて配されており、各ボックスにチャンネル番号、放送局名及び番組タイトルが表記されている。ボックスの周囲を囲む長方形状のカーソル３３を操作部２２又はリモコン５２に設けられたカーソルキーによって上下動させ、「決定」ボタンを押下することで、複数の番組のうち１つの番組を記録予約を行う番組として選択することができる。また、「戻る」ボタンを押下することで前の画面、即ち予約設定の項目を有する設定メニューが表示された画面に戻ることができる。更に、「青」ボタンを押下することで番組の詳細な情報を表示することができ、「赤」ボタンを押下することで番組の検索を行うことができ、「緑」ボタンを押下することで表示する番組表の日時を選択することができる。
【００５６】
ステップＳ２３にて番組表の表示を行った後、番組表から記録予約を行う番組が選択されたか否かを調べる（ステップＳ２４）。番組が選択されていない場合は（Ｓ２４：ＮＯ）、ステップＳ２３へ戻り、番組表の表示を継続する。番組が選択された場合（Ｓ２４：ＹＥＳ）、延長条件記憶部２１ｃに記憶されたキーワードを読み出して、ＥＰＧからキーワードが含まれる番組を検索する（ステップＳ２５）。このとき行う検索の検索対象は、記録予約に係る番組と、この番組より前の時間帯に放送され、且つ、同じチャンネルにて放送される番組とである。
【００５７】
キーワードを含む番組を検索した後、検索された番組の中から、番組の放送時間が延長条件記憶部２１ｃに記憶された基準時間より長い番組を検索する（ステップＳ２６）。ステップＳ２５及びＳ２６にて、放送時間が延長される可能性がある番組を検索することができる。
【００５８】
次いで、放送時間が延長される可能性があると検索された番組が、記録予約に係る番組と一致するか否かを調べる（ステップＳ２７）。なお、一致する場合とは、記録予約に係る番組が野球又はサッカー等の番組の場合であり、記録予約の番組自身が延長される場合である。ステップＳ２７にて一致した場合には（Ｓ２７：ＹＥＳ）、ユーザが記録予約の終了時刻を延長するための、延長設定画面の表示命令を選択部１６へ与え、延長設定画面の表示を行う（ステップＳ２８）。
【００５９】
図１０は、本発明に係るハードディスクレコーダ１が表示する延長設定画面の表示例である。なお、延長設定画面は後述の予約確認画面に延長設定ウインドウ３４を重ねて表示したものである。延長設定ウインドウ３４には、記録予約に係る番組の放送時間が変更される可能性がある旨をユーザに対して伝えるメッセージが表示される。また、メッセージ表示の下には、５つの長方形状のボックスが左右に並べて配されている。各ボックスには延長時間が記載されており、左から順に”延長しない”、”３０分延長”、”６０分延長”、”９０分延長”及び”１２０分延長”である。ボックスの周囲を囲む長方形状のカーソル３５を操作部２２又はリモコン５２に設けられたカーソルキーによって左右に移動させ、「決定」ボタンを押下することで、記録予約の終了時刻の延長時間を設定することができる。
【００６０】
ステップＳ２８にて延長設定画面の表示を行った後、設定が終了したか否かを調べる（ステップＳ２９）。設定が終了していない場合（Ｓ２９：ＮＯ）、ステップＳ２８へ戻って延長設定画面の表示を継続する。延長時間の設定が終了した場合（Ｓ２９：ＹＥＳ）、記録予約の終了時刻を延長する（ステップＳ３０）。
【００６１】
ステップＳ２７にて放送時間が延長される可能性があると検索された番組が、記録予約に係る番組と一致しない場合（Ｓ２７：ＮＯ）、及びステップＳ３０にて記録予約の終了時刻を延長した後、記録予約に係る番組の前の時間帯に放送される番組と、放送時間が延長される可能性があると検索された番組とが一致するか否かを調べる（ステップＳ３１）。一致する場合（Ｓ３１：ＹＥＳ）、即ち記録予約に係る番組が野球又はサッカー等の番組の後で放送されるドラマ又はバラエティ等である場合、図９に示した延長設定画面を表示する（ステップＳ３２）。次いで、ユーザによる延長時間の設定が終了したか否かを調べ（ステップＳ３３）、設定が終了していない場合（Ｓ３３：ＮＯ）、ステップＳ３２へ戻って延長設定画面の表示を継続する。延長時間の設定が終了した場合（Ｓ３３：ＹＥＳ）、記録予約の終了時刻を延長する（ステップＳ３４）。
【００６２】
ステップＳ３１にて記録予約に係る番組の前の時間帯に放送される番組と、放送時間が延長される可能性があると検索された番組とが一致しない場合（Ｓ３１：ＮＯ）、及びステップＳ３４にて記録予約の終了時刻を延長した後、予約確認画面の表示命令を選択部１６へ与え、予約確認画面の表示を行う（ステップＳ３５）。
【００６３】
図１１は、本発明に係るハードディスクレコーダ１が表示する予約確認画面の表示例である。予約確認画面では、ＥＰＧから選択した番組に関して、番組の録画日、録画開始時刻、録画終了時刻、放送されるチャンネル、録画する場合の画質及び終了時刻の延長時間が表示される。また、ハードディスク１９に録画可能な残りの時間及び記録予約された番組の記録時間等が合わせて表示される。例えば、図１１は、１２月２５日の午後９時から１０時まで６チャンネルで放送される番組を標準画質で録画する設定であり、延長時間が３０分に設定されているため、記録時間は１時間３０分である。
【００６４】
予約確認画面の下部には、２つの長方形状のボックスが左右に並べて配されている。左側のボックスには”完了”の文字が記載され、記録予約の設定を完了するためのものである。右側のボックスには”詳細設定へ”の文字が記載され、記録する画質の変更、開始時刻及び終了時刻の１分単位での詳細な設定、並びに延長時間の詳細な設定等を行う画面（図示は省略する）を表示するためのものである。ボックスの周囲を囲む長方形状のカーソル３６を操作部２２又はリモコン５２に設けられたカーソルキーによって左右に移動させ、「決定」ボタンを押下することで、設定の完了又は詳細設定画面の表示を行うことができる。
【００６５】
ステップＳ３５にて予約確認画面の表示を行った後、予約の設定が完了したか否かを調べる（ステップＳ３６）。予約の設定が完了していない場合は（Ｓ３６：ＮＯ）、ステップＳ３５へ戻って、予約確認画面の表示を継続する。予約の設定が完了した場合（Ｓ３６：ＹＥＳ）、予約内容をメモリ２１の記録予約記憶部２１ｂに記憶して（ステップＳ３７）、処理を終了する。
【００６６】
以上の構成のハードディスクレコーダ１においては、延長条件記憶部２１ｃに記憶された５つのキーワードが含まれている番組をＥＰＧから検索し、更にこの中から基準時間より放送時間が長い番組を検索することにより、より確実に放送時間が延長される可能性がある番組を検索することができるため、この検索結果から記録予約に係る番組の放送時間が変更されるか否かをより確実に判定することができ、実際に延長されることがない番組を誤判定する虞を少なくできる。
【００６７】
なお、本実施の形態においては、メモリ２１にＥＰＧ記憶部２１ａ、記録予約記憶部２１ｂ及び延長条件記憶部２１ｃを設ける構成を示したが、これに限るものではなく、これらの記憶部のうちの一部又は全部をハードディスク１９に設ける構成であってもよい。また、延長条件記憶部２１ｃに記憶されるキーワードを５つとしたが、これに限るものではなく、４つ以下又は６つ以上であってもよい。また、延長される可能性がある番組の判定に用いるキーワードをユーザが追加又は変更できる構成を示したが、これに限るものではなく、ユーザが追加又は変更できず、予め決められたキーワードのみを用いる構成であってもよい。また、記録予約の設定をＥＰＧによる番組表から番組を選択して行う構成を示したが、これに限るものではなく、ユーザが開始時刻及び終了時刻等を直接入力して記録予約の設定を行う構成であってもよい。
【００６８】
また、図７及び図８に示したフローチャートにおいて、ステップＳ２５及びＳ２６で行う検索は、記録予約に係る番組と、この番組より前の時間帯に放送され、且つ同じチャンネルにて放送される番組とを検索の対象としたが、これに限るものではなく、記録予約に係る番組のみ、又は、記録予約に係る番組より前の時間帯に放送され、且つ同じチャンネルにて放送される番組のみを検索対象としてもよい。また、同じチャンネルにて放送される番組のみでなく、全てのチャンネルにて放送される番組を検索対象としてもよい。また、延長される可能性がある番組の検索を、記録予約の設定が行われた場合に行う構成としたが、これに限るものではなく、例えば、ＥＰＧの取得を行った際に、ＥＰＧに含まれる全ての番組に対して予め行っておく構成であってもよい。
【００６９】
また、本実施の形態に示す表示例は一例であって、これに限るものではない。また、本実施の形態においては、記録装置としてハードディスクレコーダ１を例に説明を行ったが、これに限るものではなく、他の記録装置、例えばビデオテープレコーダ、ＤＶＤレコーダ又はブルーレイレコーダ等であってもよく、複数の記録媒体を備える記録装置であってもよい。
【図面の簡単な説明】
【００７０】
【図１】本発明に係るハードディスクレコーダのハードウェア構成を示すブロック図である。
【図２】本発明に係るハードディスクレコーダのキーワード設定を行う場合に制御部が行う処理を示すフローチャートである。
【図３】本発明に係るハードディスクレコーダが表示するキーワード設定画面の表示例である。
【図４】本発明に係るハードディスクレコーダが表示するキーワード設定画面の表示例である。
【図５】本発明に係るハードディスクレコーダの基準時間設定を行う場合に制御部が行う処理を示すフローチャートである。
【図６】本発明に係るハードディスクレコーダが表示する基準時間設定画面の表示例である。
【図７】本発明に係るハードディスクレコーダの記録予約の設定を行う場合に制御部が行う処理を示すフローチャートである。
【図８】本発明に係るハードディスクレコーダの記録予約の設定を行う場合に制御部が行う処理を示すフローチャートである。
【図９】本発明に係るハードディスクレコーダが表示する番組表の表示例である。
【図１０】本発明に係るハードディスクレコーダが表示する延長設定画面の表示例である。
【図１１】本発明に係るハードディスクレコーダが表示する予約確認画面の表示例である。
【符号の説明】
【００７１】
１  ハードディスクレコーダ
１０  制御部
１１  チューナ
１２  ＥＰＧ取得部
１３  Ａ／Ｄ変換部
１４  エンコーダ
１５  出力部
１７  Ｄ／Ａ変換部
１８  デコーダ
１９  ハードディスク
２０  ハードディスクコントローラ
２１  メモリ
２１ａ  ＥＰＧ記憶部
２１ｂ  記録予約記憶部
２１ｃ  延長条件記憶部
２２  操作部
２３  赤外線受信部
５１  表示装置
５２  リモコン
【図１】
0004562619.tif 000002
【図２】
0004562619.tif 000003
【図３】
0004562619.tif 000004
【図４】
0004562619.tif 000005
【図５】
0004562619.tif 000006
【図６】
0004562619.tif 000007
【図７】
0004562619.tif 000008
【図８】
0004562619.tif 000009
【図９】
0004562619.tif 000010
【図１０】
0004562619.tif 000011
【図１１】
0004562619.tif 000012